(57)【特許請求の範囲】
【請求項１】
岸から適宜離れた沖合に防波堤が設置され、該防波堤と岸との間に防波堤側に向けて開口した湾曲潜堤が設置され、該湾曲潜堤と防波堤とで囲まれた空間に干潟材が投入されて干潟部が形成されたことを特徴とする干潟防波堤。
【請求項２】
湾曲潜堤は防波堤よりも短いことを特徴とする請求項１に記載の干潟防波堤。
【請求項３】
防波堤は潜堤側に向かって開口した平面弓形であることを特徴とする請求項１または２に記載の干潟防波堤。
【請求項４】
防波堤の両端部には円錐台形の消波潜堤が設置され、該消波潜堤には湾曲潜堤側に伸びる土留潜堤が設置されたことを特徴とする請求項１〜３のいずれかに記載の干潟防波堤。
【請求項５】
防波堤の両端部には湾曲潜堤側に伸びる土留潜堤が設置されたことを特徴とする請求項１〜４のいずれかに記載の干潟防波堤。
【請求項６】
干潟部は防波堤側から岸側に向かって緩やかに下降傾斜する傾斜面または水平面になっていることを特徴とする請求項１〜５のいずれかに記載の干潟防波堤。
【請求項７】
波浪の作用により湾曲潜堤の背後に形成された岸から伸びるトンボロと湾曲潜堤との間に投入材が投入されて、干潟部と岸とが繋がれたことを特徴とする請求項１〜６のいずれかに記載の干潟防波堤。
【発明の詳細な説明】
【技術分野】
【０００１】
本願発明は干潟防波堤に関するものである。
【背景技術】
【０００２】
従来、防波堤に対しては、外海から来襲する波浪を防ぐ物理的機能に重点が置かれ、自然環境との共生や海域における景観に対する配慮が欠けている例が多い。一方、近年、埋立による天然干潟の消滅を懸念した自然再生事業や、浚渫土有効利用の観点から各地で人工干潟が造成されている。
【０００３】
この人工干潟１９の代表的なものとして、図１０に示すように、防波堤の背後域に陸側２０から海側２１へと緩やかに下降する干潟表面２２を形成し、法面の先端部に設置された潜堤２３で波浪を減衰させるものが多く造成されている。また、この人工干潟１９の下層部に浚渫土を投入する一方、上層部には山砂または海砂による覆砂を行って波浪による干潟表面２２の安定性を確保している。
【０００４】
このように防波堤の背後域に人工干潟１９を造成すると、波浪を防ぐ物理的機能のみでなく、自然共生型の機能を併せ持つことができる。この防波堤は、従来の防波堤と比較して海域の景観を良好にするが、人工干潟の安定性については、消波および流れの制御効果が小さく、長期的に安定性を確保するのが困難である。そこで防波堤を造成する場合、波および流れに対する人工干潟の安定性の確保が課題となっている。
【０００５】
また、その他の防波堤としては、例えば特開２００３−２３９２４１号公報の発明がある。
【特許文献１】特開２００３−２３９２４１号公報
【発明の開示】
【発明が解決しようとする課題】
【０００６】
しかし、上記の防波堤において波浪の減衰効果を期待した潜堤は、海底地盤の勾配がきつくなると、天端水深や天端幅の制約から消波効果が小さくなるため、波浪により人工干潟の大半が沖側に流出し、結果として生物の生息が困難な状況にある。また、陸側から海側へと緩やかに下降する干潟平面を形成すると、投入できる浚渫土量も少なくなり、浚渫土の有効利用という観点からは不向きな形状となっている。また、人工干潟を単に防波堤の背後域に設置する形状では、波浪の来襲時に防波堤の背後に誘起される流れ（海浜流）によって人工干潟が流出するため、流れを効果的に制御する機能を持った干潟防波堤を確保することが重要になる。
【０００７】
本願発明は上記のような問題に鑑みてなされたものであり、その目的は、波浪の作用による人工干潟の移動・流出が低減されて長期的な安定性が得られるとともに、自然との共生および海域の景観を良好にする干潟防波堤を提供することである。
【課題を解決するための手段】
【０００８】
以上の課題を解決するための本願発明の干潟防波堤は、岸から適宜離れた沖合に防波堤が設置され、該防波堤と岸との間に防波堤側に開口した湾曲潜堤が設置され、該湾曲潜堤と防波堤とで囲まれた空間に干潟材が投入されて干潟部が形成されたことを特徴とする。また湾曲潜堤は防波堤よりも短いことを含む。また防波堤は潜堤側に開口した湾曲状であることを含む。また防波堤の両端部には円錐台形の消波潜堤が設置され、該消波潜堤には湾曲潜堤側に伸びる土留潜堤が設置されたことを含む。また防波堤の両端部には湾曲潜堤側に伸びる土留潜堤が設置されたことを含む。干潟材は防波堤側に向かって漸次高くなった傾斜面または水平面であることを含む。また波浪の作用により湾曲潜堤の背後に形成された岸から伸びるトンボロと湾曲潜堤との間に投入材が投入されて、干潟部と岸とが繋がれたことを含むものである。
【発明の効果】
【０００９】
自然共生型の機能を持つ干潟防波堤が形成されると共に、海域の景観が改善されることにより、従来の無機質な空間から人々にとってのアミニティ空間および親水空間が海域に創造される。また防波堤の背後部に形成される干潟部が防波堤の耐波安定性を向上させる。また防波堤と岸との間に設置した湾曲潜堤により、防波堤背後域において波によって誘起される流れが抑制されるため、人工干潟の移動・流出が低減されて長期的な安定性が得られる。また防波堤の端部に設置した消波潜堤によって波浪による洗掘を低減し、回折による部分透過によってアサリなどの生物生息に必要な海水交換ができる。
【発明を実施するための最良の形態】
【００１０】
以下、本願発明の干潟防波堤の実施の形態を図面に基づいて説明する。この干潟防波堤についての各実施の形態において同じ構成は同じ符号を使用して説明し、異なった構成にのみ異なった符号を付して説明する。
【００１１】
図１〜図３は、第１の実施の形態の干潟防波堤１である。この干潟防波堤１は、岸２から適宜離れた沖合に設置された岸側へ向かって開口した平面弓形の防波堤３と、この防波堤３と岸２との間に設置された防波堤側へ向かって開口した平面弓形の湾曲潜堤４と、これら防波堤３と湾曲潜堤４とで囲まれた空間に投入された土砂などの干潟材５とからなる干潟部６とで構成され、この干潟部６が防波堤側から岸側に向かって緩やかに下降傾斜する傾斜面７または水平面になっており、この両側も外側に向かって下降傾斜する傾斜面８であり、この傾斜面８が先端に向かって漸次狭くなった平面三角形になっている。
【００１２】
上記の湾曲潜堤４は断面台形または断面凸形で防波堤の長さＬよりも短く、防波堤の長さＬに対して、０．３〜０．８Ｌの長さで、かつ防波堤３から０．５〜１．５Ｌの位置に設置することが好ましい。これは湾曲潜堤４に流れの制御効果を適切に発揮させるとともに、波の直接の浸食作用を防いで干潟材５が流出したり、洗堀されて不安定になるのを抑えるためである。
【００１３】
一方、防波堤３も岸側に向かって開口した平面弓形であり、両端部に円錐台形の消波潜堤９が形成され、この消波潜堤９には湾曲潜堤側に向かって伸びる断面台形の土留潜堤１０が形成されている。このように防波堤３と土留潜堤１０、および両端部が土留潜堤側に伸びる湾曲潜堤４とで干潟部６が囲まれているため、干潟材５の流れによる移動・流出が効果的に抑えられる。また、この消波潜堤９は干潟部６への波の部分透過を許容し、アサリなどの底生生物の生息に必要な海水交換を促進する機能を有するため、干潟部６が底生生物の生息場所ともなる。
【００１４】
また、図４は消波潜堤９を設けずに平面弓形の防波堤３の両端部に湾曲潜堤側に向かって伸びる断面台形の土留潜堤１０を形成したものであり、消波潜堤９が形成されていない以外は、上記の干潟防波堤１と同じ構成である。
【００１５】
図５は、湾曲潜堤４を設置しない場合と、湾曲潜堤４を設置した場合の海浜流の解析結果の一例である入射波高１ｍのときのものを示したものであり、湾曲潜堤４を設置しない場合の干潟部上の平均流速が０．１２ｍ／ｓであるのに対して、湾曲潜堤４を設置した場合の干潟部上の平均流速が０．０７ｍ／ｓであるため、湾曲潜堤４を設置した方が干潟部上の平均流速は小さくなっている。
【００１６】
また図６は、図５の（１）および（２）における代表測線１１、１２上における海浜流の解析結果の一例を示したものであり、これによると湾曲潜堤４を設置しない場合の干潟部上の流速よりも、湾曲潜堤４を設置した場合の干潟部上の流速の方が小さくなっている。
【００１７】
このことにより干潟材５の波浪と流れによる移動・流出が効果的に抑えられるという、上記の効果を確認することができた。なお、上記の防波堤３は平面弓形で説明したが、これは平面弓形に限らず、直線状であっても良い。
【００１８】
また、図７および図８は、第２の実施の形態の干潟防波堤１３である。この干潟防波堤１３は、波浪の作用により湾曲潜堤４の背後に形成された岸２から伸びるトンボロ１４を利用し、このトンボロ１４と湾曲潜堤４との間に土砂、砂、礫、石または造粒物などの投入材１５を投入して干潟部５と岸２とを繋いだものであり、これ以外は第１の実施の形態の干潟防波堤１と同じ構成である。このようにトンボロ１４に土砂１５を追加すると、これが干潮のときに連絡路１６となって干潟部６へ人が歩いて渡れるようになる。
【００１９】
また、図９は、第３の実施の形態の干潟防波堤１７、１８である。このうちの図（１）の干潟防波堤１７は、防波堤３を平面弓形から直線状に変え、かつ消波潜堤９および土留潜堤１０を撤去したものであり、これ以外は第２の実施の形態の干潟防波堤１３と同じ構成であり、同じ効果を奏するものである。また図（２）の干潟防波堤１８は、所定の方向に傾斜した直線状の防波堤３に対して、平面弓形の湾曲潜堤４と土留潜堤１０とを設置したものであり、これ以外は図（２）の干潟防波堤１７と同じ構成であり、同じ効果を奏するものである。これは湾曲潜堤４が直線状の防波堤３に対して所定の角度に傾斜して形成されたものである。
【図面の簡単な説明】
【００２０】
【図１】第１の実施の形態の干潟防波堤の平面図である。
【図２】第１の実施の形態の干潟防波堤の斜視図である。
【図３】（１）は図１のＡ−Ａ線断面図、（２）は同Ｂ−Ｂ線断面図である。
【図４】消波潜堤を形成しない干潟防波堤の平面図である。
【図５】湾曲潜堤を設置しない場合と湾曲潜堤を設置した場合の海浜流の解析結果を示した図である。
【図６】図５の（１）および（２）における代表測線上の海浜流の解析結果を示した図である。
【図７】第２の実施の形態の干潟防波堤の平面図である。
【図８】（１）は図７のＣ−Ｃ線断面図、（２）は同Ｄ−Ｄ線断面図である。
【図９】（１）および（２）は第３の実施の形態の干潟防波堤の平面図である。
【図１０】従来の干潟防波堤の断面図である。
【符号の説明】
【００２１】
１、１３、１７、１８  干潟防波堤
２  岸
３  防波堤
４  湾曲潜堤
５  干潟材
６  干潟部
７、８  傾斜面
９  消波潜堤
１０  土留潜堤
１１、１２  代表側線
１４  トンボロ
１５  投入材
１６  連絡路
１９  人工干潟
２０  陸側
２１  海側
２２  干潟表面
２３  潜堤
【図１】
0004780386.tif 000002
【図２】
0004780386.tif 000003
【図３】
0004780386.tif 000004
【図４】
0004780386.tif 000005
【図５】
0004780386.tif 000006
【図６】
0004780386.tif 000007
【図７】
0004780386.tif 000008
【図８】
0004780386.tif 000009
【図９】
0004780386.tif 000010
【図１０】
0004780386.tif 000011